(57)【要約】【課題】簡単な構成で送信先の指定の手間を削減することができるファクシミリ装置等の通信端末装置を提供する。【解決手段】通信端末装置１０は、一般公衆電話網を経由して送信原稿に係る送信原稿データ（画像データ）を送信データとして送信するＧ３ファクシミリ装置として機能するとともに、インターネット３０を経由して送信原稿に係る送信原稿データを電子メールに添付して送信するインターネットファクシミリ装置としても機能する。この通信端末装置１０の画像読取部１０９は、ガラス板１２２ａに載置された読取対象物をＦＢＳ方式により読み取り、画像データを生成する。通信端末装置１０では、ガラス板１２２ａの送信先名刺読取エリア１２３に載置された名刺を画像読取部１０９が読み取ることにより生成した画像データに基づいて送信原稿データの送信先が決定される。【選択図】図１
2006333041.tif 000002
【特許請求の範囲】
【請求項１】
電気通信回線を経由して送信原稿に係る送信原稿データを送信する通信端末装置であって、
読取面に載置された第１読取対象物を読み取り、第１画像データを生成する第１読取手段と、
前記第１読取対象物が名刺である場合の前記第１画像データに基づいて前記送信原稿データの送信先を決定する決定手段と、
を備えることを特徴とする通信端末装置。
【請求項２】
請求項１に記載の通信端末装置であって、
前記第１読取対象物が前記送信原稿である場合の前記第１画像データを前記送信原稿データとして送信する第１送信処理を実行可能であることを特徴とする通信端末装置。
【請求項３】
請求項２に記載の通信端末装置であって、
所定場所に準備された第２読取対象物を１枚ずつ取り込んで読み取り、第２画像データを生成する第２読取手段をさらに備え、
前記所定場所に前記第２読取対象物が準備されていない場合に、前記第１送信処理を実行することを特徴とする通信端末装置。
【請求項４】
請求項３に記載の通信端末装置において、
前記第１読取対象物が前記名刺から前記送信原稿へ変更されたことを検出し、当該変更の検出後の操作者の所定の操作に応答して、前記第１読取手段が前記送信原稿を読み取ることを特徴とする通信端末装置。
【請求項５】
請求項１に記載の通信端末装置において、
所定場所に準備された第２読取対象物を１枚ずつ取り込んで読み取り、第２画像データを生成する第２読取手段をさらに備え、
前記第２読取対象物が前記送信原稿である場合の前記第２画像データを前記送信原稿データとして送信する第２送信処理を実行可能であることを特徴とする通信端末装置。
【請求項６】
請求項５に記載の通信端末装置において、
前記第１読取手段の前記読取面に前記第１読取対象物として前記名刺が載置されており、前記第２読取手段の前記所定場所に前記第２読取対象物として前記送信原稿が準備されている状態において、操作者の所定の操作に応答して、前記決定手段による前記送信原稿データの送信先の決定と、前記第２送信処理とを順次実行することを特徴とする通信端末装置。
【請求項７】
請求項１ないし請求項６のいずれかに記載の通信端末装置において、
前記第１読取対象物として前記名刺が前記読取面に載置されたことを検出して前記第１読取手段による前記名刺の読み取りを可能にすることを特徴とする通信端末装置。
【請求項８】
請求項１ないし請求項７のいずれかに記載の通信端末装置において、
前記第１読取対象物が前記名刺である場合の前記第１画像データに基づいて、前記送信原稿データの送信先の情報及び送信元の情報の少なくともいずれかを含むカバーページを前記送信原稿データに付加することを特徴とする通信端末装置。
【請求項９】
請求項１ないし請求項８のいずれかに記載の通信端末装置において、
前記送信原稿データの送信先の決定の基礎となる名刺を載置するための第１領域と、前記送信原稿データの送信元の決定の基礎となる名刺を載置するための第２領域とが、前記読取面の別々の位置に設定されていることを特徴とする通信端末装置。
【請求項１０】
請求項１ないし請求項８のいずれかに記載の通信端末装置において、
前記送信原稿データの送信先の決定の基礎となる名刺を載置するための第１領域に複数枚の名刺を載置可能であり、
前記第１領域に前記第１読取対象物として複数枚の名詞が載置された場合、前記決定手段により当該複数の名刺の各々について前記送信原稿データの送信先が決定され、決定された前記送信原稿データの送信先の各々に前記送信原稿データを送信することを特徴とする通信端末装置。
【発明の詳細な説明】
【技術分野】
【０００１】
本発明は、電気通信回線を経由して送信原稿に係る送信原稿データを送信する通信端末装置に関する。
【背景技術】
【０００２】
従来より、送信原稿に係る送信原稿データを一般公衆電話網を経由して送信するファクシミリ装置において、ワンタッチダイヤルや短縮ダイヤルに送信原稿データの送信先の電話番号を登録することにより、送信先の指定の手間を削減することが行われている。しかし、ワンタッチダイヤルや短縮ダイヤルに登録可能な電話番号の数は、通信端末装置の操作部材の数や電話番号の記憶のためのメモリの容量による制約を受けるので、所望の電話番号をワンタッチダイヤルや短縮ダイヤルに登録できないことも起こりうる。また、送信頻度が低い電話番号は、ワンタッチダイヤルや短縮ダイヤルに登録しないことが多い。
【０００３】
これらの事情により、ワンタッチダイヤルや短縮ダイヤルに登録されていない電話番号に送信を行う場合、操作者は、送信先の電話番号をテンキー等を用いて手作業で入力する必要があり、その手間が煩雑であった。
【０００４】
このような煩雑さを解消するため、カードリーダで名刺を読み取ることにより得られた画像データから送信先の電話番号を決定する技術も検討されている（特許文献１）。
【０００５】
【特許文献１】特開平５−２１１５９７号公報
【発明の開示】
【発明が解決しようとする課題】
【０００６】
しかし、特許文献１の技術では、名刺の読み取りのために専用のカードリーダを設ける必要があり、ファクシミリ装置の構成が複雑となるという問題があった。
【０００７】
本発明はこの問題を解決するためになされたもので、簡単な構成で送信先の指定の手間を削減することができるファクシミリ装置等の通信端末装置を提供することを目的とする。
【課題を解決するための手段】
【０００８】
上記課題を解決するため、請求項１の発明は、電気通信回線を経由して送信原稿に係る送信原稿データを送信する通信端末装置であって、読取面に載置された第１読取対象物を読み取り、第１画像データを生成する第１読取手段と、前記第１読取対象物が名刺である場合の前記第１画像データに基づいて前記送信原稿データの送信先を決定する決定手段とを備える。
【０００９】
請求項２の発明は、請求項１に記載の通信端末装置であって、前記第１読取対象物が前記送信原稿である場合の前記第１画像データを前記送信原稿データとして送信する第１送信処理を実行可能である。
【００１０】
請求項３の発明は、請求項２に記載の通信端末装置であって、所定場所に準備された第２読取対象物を１枚ずつ取り込んで読み取り、第２画像データを生成する第２読取手段をさらに備え、前記所定場所に前記第２読取対象物が準備されていない場合に、前記第１送信処理を実行する。
【００１１】
請求項４の発明は、請求項３に記載の通信端末装置において、前記第１読取対象物が前記名刺から前記送信原稿へ変更されたことを検出し、当該変更の検出後の操作者の所定の操作に応答して、前記第１読取手段が前記送信原稿を読み取る。
【００１２】
請求項５の発明は、請求項１に記載の通信端末装置において、所定場所に準備された第２読取対象物を１枚ずつ取り込んで読み取り、第２画像データを生成する第２読取手段をさらに備え、前記第２読取対象物が前記送信原稿である場合の前記第２画像データを前記送信原稿データとして送信する第２送信処理を実行可能である。
【００１３】
請求項６の発明は、請求項５に記載の通信端末装置において、前記第１読取手段の前記読取面に前記第１読取対象物として前記名刺が載置されており、前記第２読取手段の前記所定場所に前記第２読取対象物として前記送信原稿が準備されている状態において、操作者の所定の操作に応答して、前記決定手段により前記送信原稿データの送信先を決定する決定処理と、前記第２送信処理とを順次実行する。
【００１４】
請求項７の発明は、請求項１ないし請求項６のいずれかに記載の通信端末装置において、前記第１読取対象物として前記名刺が前記読取面に載置されたことを検出して前記第１読取手段による前記名刺の読み取りを可能にする。
【００１５】
請求項８の発明は、請求項１ないし請求項７のいずれかに記載の通信端末装置において、前記第１読取対象物が前記名刺である場合の前記第１画像データに基づいて、前記送信原稿データの送信先の情報及び送信元の情報の少なくともいずれかを含むカバーページを前記送信原稿データに付加する。
【００１６】
請求項９の発明は、請求項１ないし請求項８のいずれかに記載の通信端末装置において、前記送信原稿データの送信先の決定の基礎となる名刺を載置するための第１領域と、前記送信原稿データの送信元の決定の基礎となる名刺を載置するための第２領域とが、前記読取面の別々の位置に設定されている。
【００１７】
請求項１０の発明は、請求項１ないし請求項８のいずれかに記載の通信端末装置において、前記送信原稿データの送信先の決定の基礎となる名刺を載置するための第１領域に複数枚の名刺を載置可能であり、前記第１領域に前記第１読取対象物として複数枚の名詞が載置された場合、前記決定手段により当該複数の名刺の各々について前記送信原稿データの送信先が決定され、決定された前記送信原稿データの送信先の各々に前記送信原稿データを送信する。
【発明の効果】
【００１８】
請求項１ないし請求項１０の発明によれば、名刺の読み取りのために専用の読取手段を設ける必要がないので、簡単な構成で送信先の指定の手間を削減することができる。
【００１９】
請求項２の発明によれば、名刺の読み取りのための読取手段と、送信原稿の読み取りのための読取手段とが共通化されるので、通信端末装置の構成を簡単なものとすることができる。
【００２０】
請求項３の発明によれば、第２読取手段により読み取ることができない送信原稿も読み取ることができる。
【００２１】
請求項５の発明によれば、第２読取手段により読み取ることができる送信原稿については、読み取りの手間を削減することができる。
【００２２】
請求項６の発明によれば、第１読取手段の読取面に名刺を載置し、第２読取手段の所定場所に送信原稿を準備すれば、所定の操作を行うだけで自動的に送信先が決定されて送信原稿データも送信されるので、操作者の手間を削減可能である。
【００２３】
請求項７の発明によれば、第１読取対象物として名刺が読取面に載置されると第１読取手段による名刺の読み取りが可能となるので、名刺の読み取りを可能とするための操作が不要になり、通信端末装置の利便性が向上する。
【００２４】
請求項８の発明によれば、カバーページを自動的に付加することができるので、操作者の手間を削減することができる。
【００２５】
請求項９の発明によれば、読取面の適切な位置に名刺を載置すれば、送信先又は送信元の決定のいずれの基礎となる名刺であるのかを操作者が指定しなくても、通信端末装置に送信先及び送信元を決定させることができる。
【００２６】
請求項１０の発明によれば、第１領域に複数枚の名刺を載置することにより同報送信が可能になるので、複数枚の名刺を第１読取手段に１枚ずつ読み取らせるという操作者の手間を削減可能である。
【発明を実施するための最良の形態】
【００２７】
＜１．全体構成＞
図１は、本発明の実施形態に係る通信端末装置１０の全体構成を示すブロック図である。通信端末装置１０は、プリンタ機能、スキャナ機能、ファクシミリ機能及びコピー機能を有するデジタル複合機（ＭＦＰ；Multi Function Peripherals）であり、ファクシミリ機能を用いることにより、電気通信回線を経由して送信原稿に係る送信原稿データを送信することができる。
【００２８】
図１に示すように、通信端末装置１０は、ＭＰＵ（マイクロプロセッサ；MicroProcessor Unit）１０１、ＲＯＭ１０２及びＲＡＭ１０３を備える。ＭＰＵ１０１、ＲＯＭ１０２及びＲＡＭ１０３によって実現されるコンピュータは、ＲＯＭ１０２に格納されたプログラムを実行することにより、通信端末装置１０の各構成を統括制御し、通信端末装置１０の各種機能を実現している。また、ページメモリ１０４は、画像データの格納に用いられる。
【００２９】
通信端末装置１０は、画像読取部１０９及び画像記録部１１０を備える。
【００３０】
画像読取部１０９は、ＣＣＤ（Charge Coupled Device）イメージセンサ等により用紙等の読取対象物を読み取り、当該読取対象物の画像データを生成する。画像読取部１０９が生成した画像データは、ページメモリ１０４に一時的に記憶させられる。画像読取部１０９は、ＡＤＦ（Automatic Document Feeder）方式又はＦＢＳ（Flat Bed Scanner）方式により読取対象物を読み取ることができる。
【００３１】
画像記録部１１０は、電子写真方式により、画像データに基づく画像を、記録用紙等の記録媒体に視認可能に記録（プリント）して排出する。
【００３２】
通信端末装置１０には、ユーザインターフェースとして、操作部１１１及び表示部１１２が設けられる。操作部１１１は、スタートボタン１１１ａ等の操作者の操作を検出可能な部材を含んで構成され、表示部１１２は、液晶ディスプレイ等の表示用の部材を含んで構成される。なお、表示部１１２を液晶タッチパネルディスプレイ等で構成して、表示部１１２が操作部１１１の一部又は全部の機能を兼ね備えるようにしてもよい。
【００３３】
ＮＣＵ（網制御装置；Network Control Unit）１０７及びＭＯＤＥＭ（モデム；MOdulator DEModulator）１０８は、一般公衆電話網を経由した画像データの送受信に用いられる。ＮＣＵ１０７は、一般公衆電話網への接続を制御する。ＮＣＵ１０７は、通信先の電話番号に対応したダイヤル信号を送出する機能及び着信を検出する機能を備える。ＭＯＤＥＭ１０８は、ＩＴＵ（国際電気通信連合）−Ｔ勧告Ｔ.３０にしたがったファクシミリ伝送制御手順に基づいて、Ｖ．１７，Ｖ．２７ｔｅｒ，Ｖ．２９等にしたがった送信データの変調及び受信データの復調を行う。又は、ＭＯＤＥＭ１０８は、これらに加えて、Ｖ．３４にしたがった送信データの変調及び受信データの復調を行う。ＭＯＤＥＭ１０８によって変調された送信データは、ＮＣＵ１０７を経由して一般公衆電話網へ送出される。また、ＭＯＤＥＭ１０８が復調を行う受信データは、ＮＣＵ１０７を経由して一般公衆電話網から与えられる。
【００３４】
ネットワークインターフェース１０６は、例えば、イーサネット（登録商標）により、通信端末装置１０をネットワーク３０に接続する。これにより、通信端末装置１０は、ネットワーク３０に接続されたＳＭＴＰ（Simple Mail Transfer Protocol）サーバ２０を利用して、電子メールを送信することができる。
【００３５】
上述の構成により、通信端末装置１０は、一般公衆電話網を経由して送信原稿に係る送信原稿データ（画像データ）を送信データとして送信するＧ３ファクシミリ装置として機能するとともに、インターネット３０を経由して送信原稿に係る送信原稿データを電子メールに添付して送信するインターネットファクシミリ装置としても機能する。なお、送信原稿データの送信先は、通信端末装置１０をＧ３ファクシミリ装置として機能させる場合は電話番号で指定し、通信端末装置１０をインターネットファクシミリ装置として機能させる場合は電子メールアドレスで指定することになる。
【００３６】
＜２．画像読取部の構成＞
図２及び図３は、画像読取部１０９の構成を示す斜視図であり、図２がブックカバー１２１を閉じた状態の斜視図に相当し、図３がブックカバー１２１を開いた状態の斜視図に相当する。
【００３７】
図２及び図３を参照して、画像読取部１０９は、ＦＢＳ方式による読取対象物の読取面となるガラス板１２２ａと、ＡＤＦ方式による読取対象物の読取面となるガラス板１２２ｂとが設けられる。ガラス板１２２ａ及び１２２ｂは、平坦な透明ガラス板であり、筐体ＨＳの内部であってガラス板１２２ａ及び１２２ｂの下方に設けられた光源から、ガラス板１２２ａ及び１２２ｂの上の読取対象物への照射光を透過するとともに、ガラス板１２２ａ及び１２２ｂの上の読取対象物から、筐体ＨＳの内部であってガラス板１２２ａ及び１２２ｂの下方に設けられたＣＣＤイメージセンサへの反射光を透過する。画像読取部１０９は、ＦＢＳ方式の場合、ガラス板１２２ａに載置された読取対象物を読み取り、画像データを生成する。また、画像読取部１０９は、ＡＤＦ方式の場合、ＡＤＦ１２６の原稿トレイ１２７に準備された読取対象物を１枚ずつ取り込んでガラス板１２２ｂまで給送して読み取り、画像データを生成する。
【００３８】
ガラス板１２２ａには、名刺を読取対象物として読み取る場合に適用される送信先名刺読取エリア１２３及び送信元名刺読取エリア１２４が別々に設定されており、ガラス板１２２ａの縁部には、当該送信先名刺読取エリア１２３及び送信元名刺読取エリア１２４の設定位置の目安となるガイド１２５が設けられている。
【００３９】
＜３．送信原稿データの送信＞
図４及び図５は、電気通信回線である一般公衆電話網又はインターネットを経由した、送信原稿に係る送信原稿データの送信に関する処理フローを示すフローチャートである。図４及び図５に示す処理フローは、ＭＰＵ１０１、ＲＯＭ１０２及びＲＡＭ１０３によって実現されるコンピュータが、ＲＯＭ１０２に格納されたプログラムを実行することにより実現される。
【００４０】
図４及び図５を参照して処理フローを説明すると、最初に、操作者が、ガラス板１２２ａの送信先名刺セットエリア１２３及び送信元名刺セットエリア１２４に、読取対象物として名刺を載置し（ステップＳ１０１）、操作部１１１を用いて、画像読取部１０９による名刺の読み取りが可能になる名刺読取モードに通信端末装置１０を設定すると（ステップＳ１０２）、通信端末装置１０は、名刺の読み取りの待機状態となり、スタートボタン１１１ａの押下の有無を検出する（ステップＳ１０３）。ステップＳ１０３において、スタートボタン１１１ａの押下が検出された場合、通信端末装置１０は、ステップＳ１０４以降の処理を順次実行する。一方、ステップＳ１０３において、スタートボタン１１１ａの押下が検出されない場合、通信端末装置１０は、スタートボタン１１１ａの押下の有無の検出（ステップＳ１０３）を繰り返すことにより、名刺の読み取りの待機状態を保持する。
【００４１】
なお、操作部１１１を用いて通信端末装置１０を名刺読取モードに設定するのではなく、送信先名刺読取エリア１２３及び送信元名刺読取エリア１２４に読取対象物として名刺が載置されたことを検出して、通信端末装置１０を名刺読取モードに設定するようにすれば、通信端末装置１０を名刺読取モードに設定するための操作が不要になり、通信端末装置１０の利便性が向上する。
【００４２】
ステップＳ１０４以降では、送信先名刺読取エリア１２３に載置された名刺を画像読取部１０９が読み取ることにより生成した画像データに基づいて送信原稿データの送信先が決定される。より具体的には、まず、画像読取部１０９が、送信先名刺読取エリア１２３及び送信元名刺読取エリア１２４に載置された名刺をＦＢＳ方式により読み取って画像データを生成した後に（ステップＳ１０４）、当該画像データに対して２値化処理を含む画像処理が行われ（ステップＳ１０５）、当該画像データがページメモリ１０４に格納される（ステップＳ１０６）。
【００４３】
続いて、ページメモリ１０４に格納された画像データから、送信先名刺読取エリア１２３及び送信元名刺読取エリア１２４に対応する部分が抽出され（ステップＳ１０７）、抽出された各々の部分に対して、文字情報を抽出するためのＯＣＲ（Optical Character Reader）処理が行われる（ステップＳ１０８）。さらに、ＯＣＲ処理により抽出された文字は、ひとまとまりの文字ごとに情報種類（属性）を判断される（ステップＳ１０９）。当該判断においては、例えば、「株式会社」「TEL」「FAX」「E-mail」等をキーワードとして、ひとまとまりの文字の情報種類が、企業名、通話用の電話番号、ファクシミリ用の電話番号及び電子メールアドレスのいずれに該当するのかが判断される。そして、情報種類が判断された文字は、情報種類（項目）ごとに表示部１１２に表示され（ステップＳ１１０）、操作者がその適否を確認可能な状態となる。この状態において、表示部１１２に表示された文字の修正の要否の問い合わせが行われ（ステップＳ１１１）、操作部１１１を用いて操作者から修正指示が与えられた場合（ステップＳ１１２で"YES"）、当該修正指示にしたがった修正が行われた後に（ステップＳ１１３）、ステップＳ１１４へ移行し、操作者から修正指示が与えられない場合、そのままステップＳ１１４へ移行する。なお、ここでいう「修正」の例としては、項目の追加や削除がある。
【００４４】
このように、別々の位置に設定された送信先名刺セットエリア１２３及び送信元名刺セットエリア１２４の各々に対応する部分にステップＳ１０８〜Ｓ１１３の処理を施すことにより、通信端末装置１０では、ガラス板１２２ａの適切な位置に名刺を載置すれば、送信先又は送信元の決定のいずれの基礎となる名刺であるのかを操作者が指定しなくても、通信端末装置１０に送信先及び送信元を決定させることができる。
【００４５】
また、通信端末装置１０では、送信先名刺セットエリア１２３に複数枚の名刺を載置可能となっており、送信先名刺セットエリア１２３に複数枚の名刺が載置された場合、当該複数の名刺の各々についてステップＳ１０８〜Ｓ１１３の処理を施されて送信原稿データの送信先が決定され、決定された送信原稿データの送信先の各々に送信原稿データが同報送信される。これにより、複数の名刺を１枚づつ通信端末装置に読み取らせるという手間が不要になり、操作者の作業の煩雑さを低減することができる。
【００４６】
ステップＳ１１４では、送信原稿データに付加するカバーページ（表紙ページ）が作成される。このカバーページは、送信原稿データの各ページと同一のサイズを有しており、図７に示すように、送信原稿データの送信先の情報１３２及び送信元の情報１３３を含んでいる。カバーページ１３１は、通信端末装置１０が保持しているテンプレートの、送信先の情報１３２の記載領域１３４に、ステップＳ１０７で抽出された送信先名刺読取エリア１２３に対応する部分の画像データに基づく情報を記載し、送信元の情報１３３の記載領域１３５に、送信元名刺読取エリア１２４に対応する部分の画像データに基づく情報を記載することにより作成される。なお、カバーページ１３１の作成にあたって、送信元の情報１３３として、通信端末装置１０にあらかじめ格納されている情報を用いるようにしてもよい。
【００４７】
なお、図７で示す例では、送信先の情報１３２及び送信元の情報１３３は、名刺と同様の形態となっているが、ＯＣＲ処理（ステップＳ１０８参照）により文字情報の抽出（認識）を行う場合には、情報１３２及び／又は情報１３３は、必ずしも名刺と同様の形態でなくてもよい。すなわち、ＯＣＲ処理により抽出（認識）した文字情報を、所望の書体及び／又はサイズの文字画像として、記載領域１３４及び／又は記載領域１３５に記載することができる。
【００４８】
他の例としては、名刺を読み取って生成した画像データをそのままの形態で情報１３２及び／又は情報１３３として記載することができる。すなわち、カバーページを作成するためのＯＣＲ処理は実行せず、名刺を読み取って生成した画像データを、必要に応じて変倍処理を行った後、カバーページ１３１の記載領域１３４及び／又は記載領域１３５に貼り付けることができる。この場合、カバーページは、図７に示すような形態となる。
【００４９】
続いて、後述するサブルーチンの処理フローにしたがって送信原稿データが取得され（ステップＳ１１５）、送信先の情報が得られているか否かに応じた処理フローの分岐が行われる（ステップＳ１１６）。ここで、「送信先の情報」とは、通信端末装置１０がファクシミリ装置として機能している場合には、ファクシミリ用の電話番号であり、通信端末装置１０がインターネットファクシミリ装置として機能している場合には、電子メールアドレスである。ステップＳ１１６において、送信先の情報が得られている場合には、当該送信先の情報を用いて送信原稿データの送信が行われるが（ステップＳ１１９）、得られていない場合には、送信先の情報を操作者に手動入力させる処理が行われる（ステップＳ１１７〜Ｓ１１８）。
【００５０】
当該手動入力においては、まず、通信端末装置１０が送信先の情報の入力受付けの待機状態となり（ステップＳ１１７）、送信先の情報が入力されると（ステップＳ１１８で"YES"）、入力された送信先の情報を用いて送信原稿データの送信が行われ（ステップＳ１１９）、送信先の情報が入力されないと（ステップＳ１１８で"NO"）、ステップＳ１０７へ戻り、入力受付けの待機状態が継続される。このような手動入力を可能にすることにより、送信先名刺読取エリアに載置された名刺の読み取りにより送信先を特定できない場合でも、送信原稿データを正常に送信することができるようになる。
【００５１】
＜４．送信原稿データの取得＞
図６は、送信原稿データの取得に関するサブルーチンの処理フローを示すフローチャートである。
【００５２】
図６に示すように、当該処理フローにおいては、最初に、ＡＤＦ１２６の原稿トレイ１２７に読取対象物として送信原稿が準備（セット）されているか否かが判定され（ステップＳ２０１）、準備されている場合、ＡＤＦ方式による送信原稿の読み取りが行われて送信原稿データが生成され（ステップＳ２０２）、送信原稿データの取得が完了する。これにより、ＡＤＦ方式により読み取ることができる送信原稿については、ＦＢＳ方式による読み取りの手間を削減することができる。
【００５３】
また、通信端末装置１０は、送信先名刺読取エリア１２３に名刺が載置されており、原稿トレイ１２７に送信原稿が準備されている状態において、スタートボタン１１１ａの押下に応答して、送信原稿データの送信先の決定と、当該送信原稿に係る送信原稿データの送信と順次実行し、操作者の手間の削減に寄与している。
【００５４】
一方、ＡＤＦ１２６の原稿トレイ１２７に読取対象物として送信原稿が準備されていない場合、ＦＢＳ方式による送信原稿の読み取りが行われて送信原稿データが生成され（ステップＳ２０５）、送信原稿データの取得が完了するが、それに先立って、ガラス板１２２ａに読取対象物として送信原稿がセットされた否かの判定が行われる。すなわち、ＦＢＳ方式による読取対象物が名刺から送信原稿に変更されたことが検出され（ステップＳ２０３）、当該変更の検出後のスタートボタン１１１ａの押下操作に応答して（ステップＳ２０４）、ＦＢＳ方式による送信原稿の読み取り及び送信原稿データの生成が行われる（ステップＳ２０５）。もちろん、ステップＳ２０４及びＳ２０５を繰り返し実行できるようにして、複数ページの送信原稿データを生成することも妨げられない。このような読み取りにより、冊子原稿（ブック原稿）等のＡＤＦ方式で読み取ることができない送信原稿も読み取ることができる。
【００５５】
上述の構成及び処理フローによれば、名刺の読み取りのための読取手段と、送信原稿の読み取りのための読取手段とが共通化される、すなわち、名刺の読み取りのために専用の読取手段を設ける必要がないので、通信端末装置１０の構成を簡単なものとすることができ、しかも、送信先の指定の手間を削減することができる。さらに、通信端末装置１０では、カバーページを自動的に付加することができるので、カバーページを別途作成する手間を削減することができる。
【００５６】
＜５．変形例＞
上述の説明では、送信原稿データは、画像読取部１０９で送信原稿を読み取ることにより得られたが、通信端末装置１０と通信可能に接続された外部装置又は通信端末装置１０にあらかじめ記憶させておいてもよい。
【図面の簡単な説明】
【００５７】
【図１】本発明の実施形態に係る通信端末装置１０の全体構成を示すブロック図である。
【図２】ブックカバー１２１を閉じた状態の画像読取部１０９の構成を示す斜視図である。
【図３】ブックカバー１２１を開いた状態の画像読取部１０９の構成を示す斜視図である。
【図４】電気通信回線である一般公衆電話網又はインターネットを経由した、送信原稿に係る送信原稿データの送信に関する処理フローを示すフローチャートである。
【図５】電気通信回線である一般公衆電話網又はインターネットを経由した、送信原稿に係る送信原稿データの送信に関する処理フローを示すフローチャートである。
【図６】送信原稿データの取得に関するサブルーチンの処理フローを示すフローチャートである。
【図７】送信原稿データに付加するカバーページ１３１の例を示す図である。
【符号の説明】
【００５８】
１０  通信端末装置
２０  ＳＭＴＰサーバ
３０  ネットワーク
１０６  ネットワークインターフェース
１０７  ＮＣＵ
１０８  ＭＯＤＥＭ
１０９  画像読取部
１２６  ＡＤＦ
１２７  原稿トレイ
１２２ａ，１２２ｂ  ガラス板
１２３  送信先名刺セットエリア
１２４  送信元名刺セットエリア
【図１】
2006333041.tif 000003
【図２】
2006333041.tif 000004
【図３】
2006333041.tif 000005
【図４】
2006333041.tif 000006
【図５】
2006333041.tif 000007
【図６】
2006333041.tif 000008
【図７】
2006333041.tif 000009